(57)【要約】【課題】突発的に発生する干渉に対しても精度よくＳＩＲを測定すること。【解決手段】瞬時ＳＩＲ測定部１０５は、瞬時ＲＳＣＰおよび平均ＩＳＣＰを用いて瞬時ＳＩＲを算出する。ＳＩＲ記憶領域部１０９は瞬時ＳＩＲを記憶し、予測部１１４はＳＩＲ記憶領域部１０９に記憶されたＳＩＲから将来のＳＩＲを予測する。重み付け係数算出部１１５は、パス数決定部１１３により決定された有効パス数を用いて重み付け係数を重み付け平均ＳＩＲ算出部１１１に算出する。重み付け平均ＳＩＲ算出部１１１は、算出された重み付け係数を、将来のスロットのＳＩＲを含む所定の演算スロット分のＳＩＲのそれぞれに重み付けして平均化することで、ＴＰＣビット算出部１１７にて所定の目標ＳＩＲと比較される重み付け平均ＳＩＲを算出する。【選択図】      図１
2004320254.tif 000002
【特許請求の範囲】
【請求項１】
パイロット信号を含む受信信号のスロットごとに、前記パイロット信号を用いて希望波電力を算出する希望波電力算出手段と、
前記受信信号のスロットごとに、前記パイロット信号を用いて干渉波電力を算出する干渉波電力算出手段と、
算出された干渉波電力を平均化する平均化手段と、
算出された希望波電力および平均化された平均干渉波電力を用いてＳＩＲを算出するＳＩＲ算出手段と、
算出されたＳＩＲを記憶する記憶手段と、
電波伝搬環境に関するパラメータを用いて重み付け係数を算出する重み付け係数算出手段と、
算出された重み付け係数を、所定の演算スロット分のＳＩＲにそれぞれ重み付けして平均化し、重み付け平均ＳＩＲを算出する重み付け平均ＳＩＲ算出手段と、
前記重み付け平均ＳＩＲおよび所定の目標ＳＩＲを用いて送信電力制御信号を生成する生成手段とを有することを特徴とする送信電力制御装置。
【請求項２】
前記記憶手段に記憶されているＳＩＲに基づいて、将来のスロットのＳＩＲを予測する予測手段をさらに有し、
前記重み付け平均ＳＩＲ算出手段は、前記重み付け係数を、予測された将来のスロットのＳＩＲを含む所定の演算スロット分のＳＩＲにそれぞれ重み付けして平均化することを特徴とする請求項１記載の送信電力制御装置。
【請求項３】
パイロット信号を含む受信信号のスロットごとに、前記パイロット信号を用いて希望波電力を算出する希望波電力算出手段と、
算出された希望波電力を記憶する記憶手段と、
電波伝搬環境に関するパラメータを重み付け係数として算出する重み付け係数決定手段と、
算出された重み付け係数を、所定の演算スロット分の希望波電力にそれぞれ重み付けして平均化し、重み付け平均希望波電力を算出する重み付け平均希望波電力算出手段と、
前記受信信号のスロットごとに、前記パイロット信号を用いて干渉波電力を算出する干渉波電力算出手段と、
干渉波電力を平均する平均化手段と、
算出された重み付け平均希望波電力および平均化された干渉波電力を用いてＳＩＲを算出するＳＩＲ算出手段と、
算出されたＳＩＲおよび予め設定された目標ＳＩＲを用いて送信電力制御信号を生成する生成手段とを有することを特徴とする送信電力制御装置。
【請求項４】
前記記憶手段に記憶されている希望波電力に基づいて、将来のスロットの希望波電力を予測して前記重み付け平均希望波電力算出手段に出力する予測手段をさらに有し、
前記重み付け平均希望波電力算出手段は、前記重み付け係数を、予測された将来のスロットの希望波電力を含む所定の演算スロット分の希望波電力にそれぞれ重み付けして平均化することを特徴とする請求項３記載の送信電力制御装置。
【請求項５】
前記電波伝搬環境に関するパラメータは有効パス数であり、前記重み付け係数算出手段は、有効パス数を用いて重み付け係数を算出することを特徴とする請求項１から請求項４のいずれかに記載の送信電力制御装置。
【請求項６】
前記電波伝搬環境に関するパラメータは希望波電力の標準偏差であり、
前記重み付け係数算出手段は、前記希望波電力の標準偏差を用いて重み付け係数を算出することを特徴とする請求項１から請求項４のいずれかに記載の送信電力制御装置。
【請求項７】
前記電波伝搬環境に関するパラメータはＳＩＲの標準偏差であり、
前記重み付け係数算出手段は、前記ＳＩＲの標準偏差を用いて重み付け係数を算出することを特徴とする請求項１から請求項４のいずれかに記載の送信電力制御装置。
【請求項８】
前記電波伝搬環境に関するパラメータはドップラー周波数であり、
前記重み付け係数算出手段は、前記ドップラー周波数を用いて重み付け係数を算出することを特徴とする請求項１から請求項４のいずれかに記載の送信電力制御装置。
【請求項９】
前記電波伝搬環境に関するパラメータは、長区間平均ＳＩＲであり、前記重み付け係数算出手段は、前記長区間平均ＳＩＲを用いて重み付け係数を算出することを特徴とする請求項１から請求項４のいずれかに記載の送信電力制御装置。
【請求項１０】
前記電波伝搬環境に関するパラメータは目標ＳＩＲであり、
前記重み付け係数算出手段は、前記目標ＳＩＲを用いて重み付け係数を算出することを特徴とする請求項１から請求項４のいずれかに記載の送信電力制御装置。
【発明の詳細な説明】
【０００１】
【発明の属する技術分野】
本発明は、ＣＤＭＡ（Ｃｏｄｅ  Ｄｉｖｉｓｉｏｎ  Ｍｕｌｔｉｐｌｅ  Ａｃｃｅｓｓ：符号分割多元接続）方式の移動体通信における送信電力制御装置に関する。
【０００２】
【従来の技術】
従来、移動体通信システムのアクセス方式としてのＣＤＭＡでは、受信局が受ける干渉量によってシステム容量が制限される。システム容量を確保するためには、干渉を低く抑える、すなわち他局の送信電力をできるだけ低く抑える必要がある。そのため、ＣＤＭＡにおいては、受信信号の品質に応じて送信電力を増減する送信電力制御（ＴＰＣ：Ｔｒａｎｓｍｉｔ  Ｐｏｗｅｒ  Ｃｏｎｔｒｏｌ）が必須の技術となっている。
【０００３】
この送信電力制御において、受信信号の品質を図る尺度としては、ＳＩＲ（Ｓｉｇｎａｌ  ｔｏ  Ｉｎｔｅｒｆｅｒｅｎｃｅ  Ｒａｔｉｏ：希望信号対干渉信号電力比）が一般に用いられる。システムに与える干渉を最小にして、システム容量を確保するためには、受信信号のＳＩＲを正確に測定し、その値が受信時に一定になるように送信局側で送信電力を制御する正確な送信電力制御を行う必要がある。
【０００４】
この送信電力制御方法としては、例えば特許文献１で開示されているように、送信側から送信された既知のパイロット信号を用いて希望波電力（ＲＳＣＰ：Ｒｅｃｅｉｖｅｄ  Ｓｉｇｎａｌ  Ｃｏｄｅ  Ｐｏｗｅｒ）と干渉波電力（ＩＳＣＰ：Ｉｎｔｅｒｆｅｒｅｎｃｅ  Ｓｉｇｎａｌ  Ｃｏｄｅ  Ｐｏｗｅｒ）を求める。この方式では、以下の手順で受信希望波電力と受信干渉波電力を算出するようにしている。
【０００５】
すなわち、受信希望波電力は、ベースバンド受信信号からパイロット信号を検出することで伝達関数を推定し、推定した伝達関数の位相を反転して受信信号に乗算して平均した後、電力を計算して受信希望波電力を算出する。
【０００６】
一方、受信干渉波電力は、ベースバンド受信信号からパイロット信号を検出することで伝達関数を推定し、推定した伝達関数の位相を反転して受信信号に乗算して１スロット分をバッファに蓄積すると共に平均処理を行う。平均値と１スロット分の電力の差分を計算して電力を計算して干渉波電力を算出する。このように算出した干渉波電力を複数のスロットにわたって平均化する。このように算出された受信希望波電力及び干渉波電力を用いてＳＩＲを算出する。
【０００７】
【特許文献１】
特開平１０−１３３６４号公報
【０００８】
【発明が解決しようとする課題】
しかしながら、従来の送信電力制御装置においては、希望波電力の平均や干渉波電力の平均は複数スロットに渡って単純に平均されるため、次のような問題がある。
【０００９】
すなわち、平均するスロットの数が少な過ぎると十分な平均が行われないために、干渉電力測定の精度が劣化して、ＳＩＲ測定精度が劣化する。これに対して、平均するスロットの数が多過ぎると突発的に発生する干渉に対して正確な干渉電力測定が行えなくなり、ＳＩＲ測定精度が劣化する。
【００１０】
いずれにしろ、上記のようにＳＩＲ測定精度が劣化した場合、そのＳＩＲ測定結果を用いて行われるＴＰＣの性能も変化し、最終的にＴＰＣ誤差の増大により、受信品質を満足させるために必要な送信電力の増大を招き、無線システムに与える干渉を増大させ、システム容量を減少させるという問題がある。
【００１１】
本発明はかかる点に鑑みてなされたものであり、突発的に発生する干渉に対しても精度よくＳＩＲを測定することができる送信電力制御装置を提供することを目的とする。
【００１２】
【課題を解決するための手段】
（１）本発明の送信電力制御装置は、パイロット信号を含む受信信号のスロットごとに前記パイロット信号を用いて希望波電力を算出する希望波電力算出手段と、前記受信信号のスロットごとに、前記パイロット信号を用いて干渉波電力を算出する干渉波電力算出手段と、算出された干渉波電力を平均化する平均化手段と、算出された希望波電力および平均化された平均干渉波電力を用いてＳＩＲを算出するＳＩＲ算出手段と、算出されたＳＩＲを記憶する記憶手段と、電波伝搬環境に関するパラメータを用いて重み付け係数を算出する重み付け係数算出手段と、算出された重み付け係数を、所定の演算スロット分のＳＩＲのそれぞれに重み付けして平均化し、重み付け平均ＳＩＲを算出する重み付け平均ＳＩＲ算出手段と、前記重み付け平均ＳＩＲおよび所定の目標ＳＩＲを用いて送信電力制御信号を生成する生成手段とを有する構成を採る。
【００１３】
この構成によれば、電波伝搬環境に関するパラメータを用いた重み付け係数を、所定の演算スロット分のＳＩＲのそれぞれに重み付け（例えば乗算）して平均化することで、送信制御信号を生成する際に目標ＳＩＲと比較する値として用いられる重み付け平均ＳＩＲを算出するため、所定の演算スロット分のＳＩＲ平均を算出する際の平均化する長さを、パイロット信号の電波伝搬環境に対応した長さにすることができ、これにより、突発的に発生する干渉に対しても、その電波伝搬環境に対応して精度良くＳＩＲを測定することができる。
【００１４】
（２）本発明の送信電力制御装置は、上記の構成において、前記記憶手段に記憶されているＳＩＲに基づいて、将来のスロットのＳＩＲを予測する予測手段をさらに有し、前記重み付け平均ＳＩＲ算出手段は、前記重み付け係数を、予測された将来のスロットのＳＩＲを含む所定の演算スロット分のＳＩＲにそれぞれ重み付けして平均化する構成を採る。
【００１５】
この構成によれば、重み付け係数を、予測された将来のスロットを含む所定の演算スロット分のＳＩＲにそれぞれ重み付けして平均化するため、所定の演算スロット分のＳＩＲの平均として算出される重み付け平均ＳＩＲの測定精度の向上を図ることができる。
【００１６】
（３）本発明の送信電力制御装置は、パイロット信号を含む受信信号のスロットごとに、前記パイロット信号を用いて希望波電力を算出する希望波電力算出手段と、算出された希望波電力を記憶する記憶手段と、電波伝搬環境に関するパラメータを重み付け係数として算出する重み付け係数決定手段と、算出された重み付け係数を、所定の演算スロット分の希望波電力にそれぞれ重み付けして平均化し、重み付け平均希望波電力を算出する重み付け平均希望波電力算出手段と、前記受信信号のスロットごとに、前記パイロット信号を用いて干渉波電力を算出する干渉波電力算出手段と、干渉波電力を平均する平均化手段と、算出された重み付け平均希望波電力および平均化された干渉波電力を用いてＳＩＲを算出するＳＩＲ算出手段と、算出されたＳＩＲおよび予め設定された目標ＳＩＲを用いて送信電力制御信号を生成する生成手段とを有する構成を採る。
【００１７】
この構成によれば、電波伝搬環境に関するパラメータを用いた重み付け係数を所定の演算スロット分の希望波電力のそれぞれに重み付け（例えば、乗算）した後で平均化した重み付け平均希望波電力と、平均化された干渉波電力との比から、目標ＳＩＲと比較するＳＩＲを算出するため、所定の演算スロット分の希望波電力の平均を算出する際の平均化する長さを、パイロット信号の電波伝搬環境に適した長さにすることができ、これにより、突発的に発生する干渉に対しても精度良くＳＩＲを測定することができる。
【００１８】
（４）本発明の送信電力制御装置は、上記の構成において、前記記憶手段に記憶されている希望波電力に基づいて、将来のスロットの希望波電力を予測して前記重み付け平均希望波電力算出手段に出力する予測手段をさらに有し、前記重み付け平均希望波電力算出手段は、前記重み付け係数を、予測された将来のスロットの希望波電力を含む所定の演算スロット分の希望波電力にそれぞれ重み付けして平均化する構成を採る。
【００１９】
この構成によれば、前記重み付け係数を、予測された将来のスロットを含む所定の演算スロット分の希望波電力にそれぞれ重み付け（例えば、乗算）して平均化するため、重み付け平均化された希望波電力と、平均干渉波電力とでＳＩＲを算出することができ、これにより、目標ＳＩＲと比較されるＳＩＲの測定精度の向上を図ることができる。
【００２０】
（５）本発明の送信電力制御装置は、上記の構成において、前記電波伝搬環境に関するパラメータは有効パス数であり、前記重み付け係数算出手段は、前記有効パス数を用いて重み付け係数を算出する構成を採る。
【００２１】
この構成によれば、重み付け係数に用いられるパラメータが有効パス数であるため、パイロット信号の電波伝搬環境に対応して重み付け平均された精度の高いＳＩＲを算出することができる。
【００２２】
（６）本発明の送信電力制御装置は、上記の構成において、前記電波伝搬環境に関するパラメータは希望波電力の標準偏差であり、前記重み付け係数算出手段は、前記希望波電力の標準偏差を用いて重み付け係数を算出する構成を採る。
【００２３】
この構成によれば、重み付け係数に用いられるパラメータがパイロット信号から測定される希望波電力の標準偏差であるため、パイロット信号の電波伝搬環境に対応して重み付け平均された精度の高いＳＩＲを算出することができる。
【００２４】
（７）本発明の送信電力制御装置は、上記の構成において、前記電波伝搬環境に関するパラメータはＳＩＲの標準偏差であり、前記重み付け係数算出手段は、前記ＳＩＲの標準偏差を用いて重み付け係数を算出する構成を採る。
【００２５】
この構成によれば、重み付け係数に用いられるパラメータがパイロット信号から測定されるＳＩＲの標準偏差であるため、パイロット信号の電波伝搬環境に対応して重み付け平均された精度の高いＳＩＲを算出することができる。
【００２６】
（８）本発明の送信電力制御装置は、上記の構成において、前記電波伝搬環境に関するパラメータはドップラー周波数であり、前記重み付け係数算出手段は、前記ドップラー周波数を用いて重み付け係数を算出する構成を採る。
【００２７】
この構成によれば、パイロット信号からのドップラー周波数に応じた重み付け係数となるため、パイロット信号の電波伝搬環境に対応して重み付け平均された精度の高いＳＩＲを算出することができる。
【００２８】
（９）本発明の送信電力制御装置は、上記の構成において、前記電波伝搬環境に関するパラメータは長区間平均ＳＩＲであり、前記重み付け係数算出手段は、前記長区間平均ＳＩＲを用いて重み付け係数を算出する構成を採る。
【００２９】
この構成によれば、重み付け係数に用いられるパラメータが長区間平均ＳＩＲであるため、パイロット信号の電波伝搬環境に対応して重み付け平均された精度の高いＳＩＲを算出することができる。
【００３０】
（１０）本発明の送信電力制御装置は、上記の構成において、前記電波伝搬環境に関するパラメータは目標ＳＩＲであり、前記重み付け係数算出手段は、前記目標ＳＩＲを用いて重み付け係数を算出する構成を採る。
【００３１】
この構成によれば、目標ＳＩＲに基づいて重み係数が算出されるため、パイロット信号の電波伝搬環境に対応して重み付け平均された精度の高いＳＩＲを算出することができる。
【００３２】
【発明の実施の形態】
本発明の骨子は、有効パス数、希望波電力（ＲＳＣＰ）の標準偏差、希望波電力対干渉波電力比（ＳＩＲ）の標準偏差、ドップラー周波数、長区間平均ＳＩＲ、目標ＳＩＲなどの電波伝搬環境に応じたパラメータを用いて、受信信号より算出されるＳＩＲ、ＲＳＣＰを重み付け平均して求める際の平均化長を制御することである。なお、長区間平均ＳＩＲとは、数百シンボルから数千シンボル区間程度で平均したＳＩＲである。以下、本発明の実施の形態について図面を参照して詳細に説明する。
【００３３】
（実施の形態１）
図１は本発明の実施の形態１に係る送信電力装置１００の構成を示すブロック図である。
【００３４】
図１に示す送信電力装置１００は、瞬時ＲＳＣＰ測定部１０１、瞬時ＩＳＣＰ測定部１０３、瞬時ＳＩＲ測定部１０５、平均化部１０７、ＳＩＲ記憶領域部１０９、重み付け平均ＳＩＲ算出部１１１、パス数決定部１１３、予測部１１４、重み付け係数算出部１１５、およびＴＰＣビット算出部１１７を有する。
【００３５】
瞬時ＲＳＣＰ測定部１０１は、受信信号のスロット毎に、受信信号に含まれる既知のパイロット信号の希望波成分の電力（ＲＳＣＰ）を測定して瞬時ＳＩＲ測定部１０５に算出する。なお、図１では、受信されるパイロット信号を「受信パイロット信号」と記す。
【００３６】
瞬時ＩＳＣＰ測定部１０３は、受信信号の瞬時干渉波成分の電力（ＩＳＣＰ）を測定して平均部１０７に出力する。平均部１０７は、瞬時ＩＳＣＰ測定部１０３から入力された干渉波成分の電力の所定区間における平均値としての平均ＩＳＣＰを算出する。
【００３７】
瞬時ＳＩＲ測定部１０５は、瞬時ＲＳＣＰ測定部１０１により測定された瞬時希望波電力と、平均部１０７により平均化された干渉波電力の平均値（平均ＩＳＣＰ）とに基づいて、瞬時の希望波電力対干渉波電力比（ＳＩＲ）を算出し、ＳＩＲ記憶領域部１０９及び重み付け平均ＳＩＲ算出部１１１に出力する。
【００３８】
瞬時ＳＩＲ測定部１０５では、次式を用いてＳＩＲを算出する。
ＳＩＲ＝希望波電力／干渉波電力
【００３９】
ＳＩＲ記憶領域部１０９は、瞬時ＳＩＲ測定部１０５から入力された瞬時ＳＩＲを記憶する。また、このＳＩＲ記憶領域部１０９には、瞬時ＳＩＲと、該瞬時ＳＩＲが測定されたスロットに連続した過去のスロットのＳＩＲが記憶される。
【００４０】
予測部１１４は、ＳＩＲ記憶領域部１０９に保持された瞬時ＳＩＲ及び過去のＳＩＲに基づいて、次に測定されるＳＩＲの値、つまり現在のスロットに連続して入力される未来のスロットのＳＩＲを予測し、重み付け平均ＳＩＲ算出部１１１に出力する。
【００４１】
パス数決定部１１３は、受信信号のパスに割り当てられる複数のフィンガを備え、受信信号の有効なパスに割り当てられた有効フィンガ数から有効パス数を測定し、測定された有効パス数を重み付け係数算出部１１５に出力する。
【００４２】
重み付け係数算出部１１５は、パス数決定部１１３により入力されたパス数に基づいて、重み付け平均ＳＩＲ算出部１１１にて、測定されるスロットに連続する複数のスロットのそれぞれのＳＩＲに渡って重み付けられる重み付け係数を算出し、重み付け平均ＳＩＲ算出部１１１に出力する。
【００４３】
詳細には、重み付け係数算出部１１５は、パス数と、スロットに重み付けられる重み付け係数とが対応づけられたテーブルを備え、このテーブルにおける所定パス数を閾値として、電波伝搬環境としてパス数決定部１１３により入力されたパス数と比較し、入力されたパス数に対応づけられた重み付け係数を重み付け平均ＳＩＲ算出部１１１に出力する。
【００４４】
ここで、重み付け係数算出部１１５の備えるパス数と重み付け係数が関係付けられたテーブルの一例を図２に示す。なお、図２において、Ａ１、Ｂ１、Ｃ１、Ｄ１は予め設定されたパス数、Ｗ（ｉ）はスロット番号ｉへの重みを示す。
【００４５】
図２のテーブルでは、予め設定された所定のパス数Ａ１、Ｂ１、Ｃ１、Ｄ１による条件と、これら条件を満たすパス数に対応する重み付け係数が格納されている。例えば、パス数決定部１１３からのパス数がテーブルに格納された閾値となるパス数Ａ１より多い場合、入力されたパス数はパス数＞Ａ１を満たし、現在のスロット及び現在のスロットの前後で連続する複数のスロット毎のＳＩＲに重み付けられる重み付け係数として、０．８，０．９，１，０．９，０．８が、重み付け平均ＳＩＲ算出部１１１に算出される。
【００４６】
重み付け平均ＳＩＲ算出部１１１は、瞬時ＳＩＲ測定部１０５から入力された瞬時ＳＩＲ、ＳＩＲ記憶領域部１０９から入力された過去のスロットのＳＩＲ、予測部１１４から入力された未来のスロットのＳＩＲ、つまり現在、過去、未来と連続するスロットのＳＩＲに、重み付け係数算出部１１５により算出された重み付け係数をそれぞれ乗算して重み付け、平均化した値をＴＰＣビット算出部１１７に算出する。
【００４７】
ＴＰＣビット算出部１１７は、重み付け平均ＳＩＲ算出部１１１から入力されたＳＩＲ（以下、「重み付け平均ＳＩＲ」という）と予め設定されている目標ＳＩＲとを比較し、重み付け平均ＳＩＲが目標ＳＩＲよりも小さい場合には送信電力を増加する旨のＴＰＣビットを生成し、逆に重み付け平均ＳＩＲが目標ＳＩＲよりも大きい場合には送信電力を減少する旨のＴＰＣビットを生成する。例えば、ＴＰＣビットが「０」のときは送信電力を１ｄｂ下げる旨とし、「１」なら１ｄＢ上げるなどと予め定めておく。
【００４８】
次に、上記構成の送信電力制御装置１の動作を説明する。
送信電力制御装置１が、受信信号のスロット毎の、受信信号に含まれる既知信号、ここでは受信パイロット信号を受信すると、瞬時ＲＳＣＰ測定部１０１により瞬時ＲＳＣＰを測定し瞬時ＳＩＲ測定部１０５に出力する。また、瞬時ＩＳＣＰ測定部１０３が瞬時ＩＳＣＰを測定し、測定された瞬時ＩＳＣＰを平均化部１０７にて平均化し、平均ＩＳＣＰとして瞬時ＳＩＲ測定部１０５に出力する。
【００４９】
瞬時ＳＩＲ測定部１０５は、瞬時ＲＳＣＰと平均ＩＳＣＰとの比である瞬時ＳＩＲを算出し、ＳＩＲ記憶領域部１０９及び重み付け平均ＳＩＲ算出部１１１に出力する。
【００５０】
ＳＩＲ記憶領域部１０９は、既に記憶されている、瞬時ＳＩＲが測定されたスロットに連続する過去のスロットのＳＩＲを、重み付け平均ＳＩＲ算出部１１１に出力するとともに、過去のスロットのＳＩＲを、瞬時ＳＩＲ測定部１０５から入力された瞬時ＳＩＲとともに予測部１１４に出力する。
【００５１】
予測部１１４では、瞬時ＳＩＲ及び過去のＳＩＲに基づいて、瞬時ＳＩＲが測定された現在のスロットに連続する未来のスロットのＳＩＲが予測され、未来のＳＩＲは、重み付け平均ＳＩＲ算出部１１１に算出される。
【００５２】
一方、受信パイロット信号に基づいてパス数決定部１１３においてパス数が決定され、重み付け係数算出部１１５に出力される。
【００５３】
重み付け係数算出部１１５では、格納されたテーブルに基づいて重み付け係数が、重み付け平均ＳＩＲ算出部１１１に算出される。
【００５４】
図３は、重み付け平均ＳＩＲ算出部１１１において重み付け平均ＳＩＲ算出を説明するための図である。なお、図３では、瞬時ＳＩＲ測定部により測定されるスロットを現在のスロットスロット♯ｎとする。このスロット♯ｎの前後に連続するスロット数に渡る平均ＳＩＲを算出することでＳＩＲの平均長を変更することができる。
【００５５】
図３に示すように、重み付け平均ＳＩＲ算出部１１１は、瞬時ＳＩＲ測定部１０５から入力された瞬時ＳＩＲ（図３で示すＳＩＲ（ｎ））、ＳＩＲ記憶領域部１０９から入力された過去のＳＩＲ（図３で示すＳＩＲ（ｎ−１）、ＳＩＲ（ｎ−２））、予測部１１４から入力された未来のＳＩＲ（図３示すＳＩＲ（ｎ＋１）、ＳＩＲ（ｎ＋２））のそれぞれに、重み付け係数算出部１１５により算出されたパス数に対応した重み付け係数Ｗ（ｎ−２）、Ｗ（ｎー１）、Ｗ（ｎ）、Ｗ（ｎ＋１）、Ｗ（ｎ＋２）を乗算し、これら重み付けられたＳＩＲの平均を算出する。
【００５６】
たとえば、パス数決定部１１３から重み付け係数算出部１１５に入力されたパス数が、テーブルにおける閾値となるパス数Ａ１より大きい場合、重み付け平均ＳＩＲ算出部１１１では、Ａ１より大きい場合の重み付け係数、つまり、図３で示す、ＳＩＲ（ｎ−１）、ＳＩＲ（ｎ−２）、ＳＩＲ（ｎ）、ＳＩＲ（ｎ＋１）、ＳＩＲ（ｎ＋２）のそれぞれに、０．８，０．９，１，０．９，０．８をそれぞれ乗算して重み付けを行い平均化することで重み付け平均ＳＩＲを算出する。
【００５７】
このように、重み付け平均ＳＩＲ算出部１１１では、ｎ番目のスロットでの重み付け平均後のＳＩＲ（重み付け平均ＳＩＲ（ｎ））は下記式を用いて求められる。
【００５８】
重み付け平均ＳＩＲ（ｎ）＝ΣＷ（ｉ）×ＳＩＲ（ｉ）／ΣＷ（ｉ）
ここで、ｉはスロット番号、ＳＩＲ（ｉ）はｉ番目のスロットでの瞬時ＳＩＲ、Ｗ（ｉ）はｉ番目のスロットでの重み付けとする。
【００５９】
上記実施の形態によれば、ＴＰＣビット算出部における、送信制御信号を出力するために目標ＳＩＲと比較されるＳＩＲは、電波伝搬環境に関するパラメータとしてパス数を用いた重み付け係数を所定の演算スロット分のＳＩＲのそれぞれに重み付け、つまり乗算し平均化して算出される。これにより、所定の演算スロット分のＳＩＲ平均を算出する際の平均化する長さを、受信パイロット信号の電波伝搬環境に対応した長さにすることができる。したがって、ＳＩＲを測定する際に突発的に発生する干渉に対しても、そのときの電波伝搬環境に対応して精度良くＳＩＲ測定を行うことができる。
【００６０】
なお、上記実施の形態１では、重み付け係数算出部１１５が重み付け係数を算出するための電波伝搬環境に関するパラメータとして、パス数決定部１１３から入力されるパス数を用いたが、これに限らず、ＲＳＣＰの標準偏差、ＳＩＲの標準偏差、ドップラー周波数、長区間平均ＳＩＲ、目標ＳＩＲ等、パス数以外をパラメータとしてもよい。
【００６１】
以下に、図４〜図１３を参照して、重み付け係数を算出するための電波伝搬環境に関するパラメータを変更した場合の送信電力制御装置を変更例１〜変更例５として説明する。なお、図４〜図１３において、図１及び図２と共通する部分には図１及び図２と同一の符号を付し、詳しい説明は省略する。
【００６２】
図４は、重み付け係数を算出するための電波伝搬環境に関するパラメータをパス数に代えて、希望波電力（ＲＳＣＰ）の標準偏差とした変更例１としての送信電力制御装置１００ａの構成を示すブロック図である。
【００６３】
図４に示す送信電力制御装置１００ａは、瞬時ＲＳＣＰ測定部１０１、瞬時ＩＳＣＰ測定部１０３、瞬時ＳＩＲ測定部１０５、平均化部１０７、ＳＩＲ記憶領域部１０９、重み付け平均ＳＩＲ算出部１１１、予測部１１４、ＴＰＣビット算出部１１７、ＲＳＣＰ標準偏差測定部１２０、および重み付け係数算出部１３０を有する。すなわち、送信電力制御装置１００ａは、送信電力装置１００の構成と比較してパス数決定部１１３に代えて、受信パイロット信号からＲＳＣＰの標準偏差を測定するＲＳＣＰ標準偏差測定部１２０とした構成となっている。
【００６４】
ＲＳＣＰ標準偏差測定部１２０は、受信パイロット信号から測定したＲＳＣＰの標準偏差値を重み付け係数算出部１３０に出力する。
【００６５】
重み付け係数算出部１３０は、ＲＳＣＰ標準偏差測定部１２０より入力されるＲＳＣＰの標準偏差に基づいて、この入力されるＲＳＣＰの標準偏差に対応した重み付け係数を算出し、重み付け平均ＳＩＲ算出部１１１に出力する。
【００６６】
図５に、変更例１の送信電力制御装置における重み付け係数算出部１３０が有するテーブルの一例を示す。
【００６７】
図５に示すテーブルは、図２のテーブルと比べて、入力される電波伝搬環境に関するパラメータと比較する閾値をパス数に代えてＲＳＣＰの標準偏差としたものであり、その他の値は同様のものである。したがって、重み付け係数算出部１３０における重み付け係数の算出は、重み付け係数算出部１１５と比して、入力されるパラメータのみが異なり、それ以外は同様に行われ、送信電力制御装置１００ａは送信電力制御装置１００と同様の作用効果を有する。
【００６８】
例えば、希望波電力の標準偏差が大きくなり、ＳＩＲの測定値と期待値の差が大きくなる場合でも、重み付け係数を制御して、ＳＩＲを算出するための平均化長を可変させ、ＳＩＲの測定精度を向上させることができる。
【００６９】
図６は、重み付け係数を算出するための電波伝搬環境に関するパラメータをパス数に代えて、ＳＩＲの標準偏差とした変更例２としての送信電力制御装置の構成を示すブロック図である。
【００７０】
図６に示す送信電力制御装置１００ｂは、瞬時ＲＳＣＰ測定部１０１、瞬時ＩＳＣＰ測定部１０３、瞬時ＳＩＲ測定部１０５、平均化部１０７、ＳＩＲ記憶領域部１０９、重み付け平均ＳＩＲ算出部１１１、ＴＰＣビット算出部１１７、予測部１１４、ＳＩＲ標準偏差測定部１４０、および重み付け係数算出部１４５を有する。
【００７１】
すなわち、送信電力制御装置１００ｂは、送信電力装置１００の構成と比較してパス数決定部１１３に代えて、受信パイロット信号からＳＩＲの標準偏差を測定するＳＩＲ標準偏差測定部１４０とした構成となっている。
【００７２】
ＳＩＲ標準偏差測定部１４０は、受信パイロット信号から測定されたＳＩＲの標準偏差値を重み付け係数算出部１４５に出力する。
【００７３】
重み付け係数算出部１４５は、ＳＩＲ標準偏差測定部１４０より入力されたＳＩＲの標準偏差に基づいて、この入力されたＳＩＲの標準偏差に対応した重み付け係数を算出し、重み付け平均ＳＩＲ算出部１１１に出力する。
【００７４】
図７に、変更例２の送信電力制御装置における重み付け係数算出部１４５が有するテーブルの一例を示す。
【００７５】
図７に示すテーブルは、図２のテーブルと比べて、入力される電波伝搬環境に関するパラメータと比較する閾値を、パス数に代えてＳＩＲの標準偏差としたものであり、その他の値は同様のものである。したがって、重み付け係数算出部１４５における重み付け係数の算出は、重み付け係数算出部１１５と比して、入力されるパラメータのみが異なり、それ以外は同様に行われ、送信電力制御装置１００ｂは送信電力制御装置１００と同様の作用効果を有する。
【００７６】
例えば、目標ＳＩＲが小さいときにＳＩＲの標準偏差が大きくなるため、測定されるＳＩＲの値と、その測定時の目標ＳＩＲとの差が大きくなる場合がある。この場合でも、目標ＳＩＲに基づいて重み付け係数を、目標ＳＩＲが大きい場合と比較して、ＳＩＲを算出するための平均化の長さを長くし、測定のバラツキを少なくして、測定精度の向上を図ることができる。
【００７７】
図８は本発明に係る送信電力制御装置の変更例３の構成を示すブロック図である。
【００７８】
図８に示す送信電力制御装置１００ｃは、瞬時ＲＳＣＰ測定部１０１、瞬時ＩＳＣＰ測定部１０３、瞬時ＳＩＲ測定部１０５、平均化部１０７、ＳＩＲ記憶領域部１０９、重み付け平均ＳＩＲ算出部１１１、ＴＰＣビット算出部１１７、予測部１１４、ドップラー周波数測定部１５０、および重み付け係数算出部１５５を有する。すなわち、送信電力制御装置１００ｃは、送信電力装置１００の構成と比較してパス数決定部１１３に代えて、受信パイロット信号からドップラー周波数を測定するドップラー周波数測定部１５０とした構成となっている。
【００７９】
ドップラー周波数測定部１５０は、受信パイロット信号からドップラー周波数を測定し、重み付け係数算出部１５５に出力する。
【００８０】
重み付け係数算出部１５５は、ドップラー周波数測定部１５０から入力されたドップラー周波数に対応した重み付け係数を算出し、重み付け平均ＳＩＲ算出部１１１に出力する。
【００８１】
図９に、変更例３の送信電力制御装置における重み付け係数算出部１５５が有するテーブルの一例を示す。
【００８２】
図９に示すテーブルは、図２のテーブルと比べて、入力される電波伝搬環境に関するパラメータと比較する閾値を、パス数に代えてドップラー周波数としたものであり、その他の値は同様のものである。したがって、重み付け係数算出部１５５における重み付け係数の算出は、重み付け係数算出部１１５と比して、入力されるパラメータのみが異なり、それ以外は同様に行われる。つまり、送信電力制御装置１００ｃは送信電力制御装置１００と同様の作用効果を有する。
【００８３】
例えば、パイロット信号からのドップラー周波数が大きい時は、その変動レベルに追従するために、ドップラー周波数が小さい場合と比べてＳＩＲを算出するための平均化長を長くして、その測定精度を向上させることができる。
【００８４】
図１０は本発明に係る送信電力制御装置の変更例４の構成を示すブロック図である。
【００８５】
図１０に示す送信電力制御装置１００ｄは、瞬時ＲＳＣＰ測定部１０１、瞬時ＩＳＣＰ測定部１０３、瞬時ＳＩＲ測定部１０５、平均化部１０７、ＳＩＲ記憶領域部１０９、重み付け平均ＳＩＲ算出部１１１、ＴＰＣビット算出部１１７、予測部１１４、長区間平均ＳＩＲ測定部１６０、および重み付け係数算出部１６５を有する。すなわち、送信電力制御装置１００ｄは、送信電力装置１００の構成と比較してパス数決定部１１３に代えて受信パイロット信号から長区間平均ＳＩＲを測定する長区間平均ＳＩＲ測定部１６０とした構成となっている。
【００８６】
長区間平均ＳＩＲ測定部１６０は、ＳＩＲを長区間測定し、長区間平均した値を長区間平均ＳＩＲとして重み付け係数算出部１６５に出力する。
【００８７】
重み付け係数算出部１６５は、長区間平均ＳＩＲ測定部１６０より入力された長区間平均ＳＩＲに基づいて、この入力される長区間平均ＳＩＲに対応した重み付け係数を算出し、重み付け平均ＳＩＲ算出部１１１に出力する。
【００８８】
図１１に、変更例４の送信電力制御装置における重み付け係数算出部が有するテーブルの一例を示す。
【００８９】
図１１に示すテーブルは、図２のテーブルと比べて、入力される電波伝搬環境に関するパラメータと比較する閾値を、パス数に代えて長区間平均ＳＩＲとしたものであり、その他の値は同様のものである。よって、重み付け係数算出部１６５における重み付け係数の算出は、重み付け係数算出部１１５と比して、入力されるパラメータのみが異なり、それ以外は同様に行われている。よって、送信電力制御装置１００ｄは送信電力制御装置１００と同様の作用効果を有する。
【００９０】
例えば、長区間平均ＳＩＲが短区間（数シンボルから数十シンボル区間程度）平均ＳＩＲより低い値のときに、ＳＩＲの標準偏差が大きくなり、ＳＩＲの測定値と目標ＳＩＲとの差が大きくなる場合があっても、長区間平均ＳＩＲが高い場合と比べて、ＳＩＲを算出するための平均化長を長くして、ＳＩＲの測定精度を向上することができる。
【００９１】
図１２は、重み付け係数を算出するための電波伝搬環境に関するパラメータをパス数に代えて、目標ＳＩＲとした変更例５としての送信電力制御装置１００ｅの構成を示すブロック図である。
【００９２】
図１２に示す送信電力制御装置１００ｅは、瞬時ＲＳＣＰ測定部１０１、瞬時ＩＳＣＰ測定部１０３、瞬時ＳＩＲ測定部１０５、平均化部１０７、ＳＩＲ記憶領域部１０９、重み付け平均ＳＩＲ算出部１１１、ＴＰＣビット算出部１１７、予測部１１４、目標ＳＩＲ決定部１７０、および重み付け係数算出部１７５を有する。すなわち、送信電力制御装置１００ｅは、送信電力装置１００の構成と比較してパス数決定部１１３に代えて、受信パイロット信号から目標ＳＩＲを決定する目標ＳＩＲ決定部１７０とした構成となっている。
【００９３】
目標ＳＩＲ決定部１７０は、受信パイロット信号に基づいて目標ＳＩＲを決定し、ＴＰＣビット算出部１１７に出力するとともに、重み付け係数算出部１４５に出力する。
【００９４】
重み付け係数算出部１７５は、目標ＳＩＲ決定部１７０より入力された目標ＳＩＲに基づいて、この入力された目標ＳＩＲに対応した重み付け係数を算出し、重み付け平均ＳＩＲ算出部１１１に出力する。
【００９５】
図１３に、変更例５の送信電力制御装置における重み付け係数算出部１７５が有するテーブルの一例を示す。
【００９６】
図１３に示すテーブルは、図２のテーブルと比べて、入力される電波伝搬環境に関するパラメータと比較する閾値をパス数に代えて目標ＳＩＲとしたものであり、その他の値は同様のものである。したがって、重み付け係数算出部１７５における重み付け係数の算出は、重み付け係数算出部１１５と比して、入力されるパラメータのみが異なる。これにより、送信電力制御装置１００ｅは送信電力制御装置１００と同様の作用効果を有するものとなっている。
【００９７】
例えば、目標ＳＩＲが小さいときにＳＩＲの標準偏差が大きくなるため、測定されるＳＩＲの値と、その測定時の目標ＳＩＲとの差が大きくなる場合がある。この場合でも、目標ＳＩＲに基づいて重み付け係数を、目標ＳＩＲが大きい場合と比較して、ＳＩＲを算出するための平均化の長さを長くし、測定のバラツキを少なくして、測定精度の向上を図ることができる。
【００９８】
（実施の形態２）
図１４は、本発明の実施の形態２に係る送信電力制御装置２００の構成を示すブロック図である。但し、図１４において図１と共通する部分には図１と同一の符号を付し、詳しい説明を省略する。
【００９９】
図１４に示す送信電力制御装置２００の特徴は、図１の送信電力制御装置１００と比較して、電波伝搬環境に関するパラメータにより重み付けられる重み付けの対象を、複数スロットに渡るＳＩＲに代えて、瞬時ＲＳＣＰ測定部１０１により測定される瞬時ＲＳＣＰとしたものである。
【０１００】
図１４に示す送信電力制御装置２００は、瞬時ＲＳＣＰ測定部１０１、瞬時ＩＳＣＰ測定部１０３、ＳＩＲ測定部２０５、平均化部１０７、ＲＳＣＰ記憶領域部２０９、予測部２１４、パス数決定部１１３、ＴＰＣビット算出部１１７、重み付け平均ＲＳＣＰ算出部２１１、および重み付け係数算出部２２２を備える。
【０１０１】
送信電力制御装置２００において、瞬時ＲＳＣＰ測定部１０１は、受信信号の希望波成分の電力を測定してＲＳＣＰ記憶領域部２０９及び重み付け平均ＲＳＣＰ算出部２１１に算出する。
【０１０２】
ＲＳＣＰ記憶領域部２０９は、瞬時ＲＳＣＰ測定部１０１から入力された瞬時ＲＳＣＰを記憶する。つまり、このＲＳＣＰ記憶領域部２０９には、瞬時ＲＳＣＰと、その瞬時ＲＳＣＰが測定されたスロットに連続した過去のスロットのＲＳＣＰが記憶されている。
【０１０３】
予測部２１４は、ＲＳＣＰ記憶領域部２０９に保持された瞬時ＲＳＣＰ及び過去のＲＳＣＰに基づいて、次に測定されるＲＳＣＰの値、つまり現在のスロットに連続する将来のスロットのＲＳＣＰを予測し、重み付け平均ＲＳＣＰ算出部２１１に出力する。
【０１０４】
重み付け係数算出部２２２は、パス数決定部１１３により入力されたパス数に基づいて、重み付け平均ＲＳＣＰ算出部２１１にて、複数のスロットのＲＳＣＰに渡って重み付けるべき重み付け係数を算出する。なお、この重み付け係数算出部２２２は重み付け係数算出部１１５と同様のパス数と重み付け係数との関係を示すテーブルを備える。この重み付け係数算出部２２２では、重み付け平均ＲＳＣＰ算出部２１１に算出される重み付け係数は、重み付け平均ＲＳＣＰ算出部２１１において重み付けの対象となる現在のスロットに連続する複数スロット分算出される。
【０１０５】
重み付け平均ＲＳＣＰ算出部２１１は、瞬時ＲＳＣＰ測定部１０１から入力された瞬時ＲＳＣＰ、ＲＳＣＰ記憶領域部２０９から入力される過去のスロットのＲＳＣＰ、予測部２１４から入力された未来のスロットのＲＳＣＰ、つまり現在、過去、未来と連続するスロットのＲＳＣＰに、重み付け係数算出部２２２により算出された重み付け係数をそれぞれ乗算して重み付け、平均化した値とした重み付け平均後のＲＳＣＰ（重み付け平均ＲＳＣＰ）をＳＩＲ測定部２０５に出力する。
【０１０６】
ＳＩＲ測定部２０５は、重み付け平均ＲＳＣＰ算出部２１１により測定された重み付け平均ＲＳＣＰと、平均化部１０７により平均化された干渉波電力の平均値（平均ＩＳＣＰ）との比、つまりＳＩＲ＝希望波電力／干渉波電力の式を用いてＳＩＲを算出し、ＴＰＣビット算出部１１７に出力する。
【０１０７】
図１５は、重み付け平均ＲＳＣＰ算出部２１１における重み付け平均ＲＳＣＰ算出を説明するための図である。なお、図１５では、瞬時ＲＳＣＰ測定部１０１により測定されるスロットを現在のスロットとして、スロット♯ｎとする。
【０１０８】
図１５に示すように、重み付け平均ＲＳＣＰ算出部２１１は、瞬時ＲＳＣＰ測定部１０１から入力された瞬時ＲＳＣＰ（図１５で示すＲＳＣＰ（ｎ））、ＲＳＣＰ記憶領域部２０９から入力された過去のＲＳＣＰ（図３で示すＲＳＣＰ（ｎ−１）、ＲＳＣＰ（ｎ−２））、予測部２１４から入力された未来のＲＳＣＰ（図３示すＲＳＣＰ（ｎ＋１）、ＲＳＣＰ（ｎ＋２））のそれぞれに、重み付け係数算出部１１５Ｆにより算出された重み付け係数Ｗ（ｎ−２）、Ｗ（ｎー１）、Ｗ（ｎ）、Ｗ（ｎ＋１）、Ｗ（ｎ＋２）を乗算し、これら重み付けられたＲＳＣＰの平均をＳＩＲ測定部２０５に算出する。
【０１０９】
よって、ｎ番目のスロットでの重み付け平均後のＲＳＣＰ（重み付け平均ＲＳＣＰ（ｎ））を求める式は、
重み付け平均ＲＳＣＰ（ｎ）＝ΣＷ（ｉ）×ＲＳＣＰ（ｉ）／ΣＷ（ｉ）
となる。ここで、ｉはスロット番号、ＲＳＣＰ（ｉ）はｉ番目のスロットでの瞬時ＲＳＣＰ、Ｗ（ｉ）はｉ番目のスロットでの重み付けとする。
【０１１０】
そして、ＳＩＲ測定部２０５では、重み付け平均ＲＳＣＰ算出部２１１からの重み付け平均ＲＳＣＰと、平均化部１０７からの平均ＩＳＣＰとを用いてＳＩＲ（以下測定ＳＩＲという）を算出し、ＴＰＣビット算出部１１７に出力する。
【０１１１】
ＴＰＣビット算出部１１７では、入力された測定ＳＩＲは、予め設定されている目標ＳＩＲとを比較し、測定ＳＩＲが目標ＳＩＲよりも小さい場合には送信電力を増加する旨のＴＰＣビットを生成し、逆に重み付け平均ＳＩＲが目標ＳＩＲよりも大きい場合には送信電力を減少する旨のＴＰＣビットを生成する。
【０１１２】
このように実施の形態２の送信電力制御装置２００によれば、重み付け平均ＲＳＣＰ算出部２１１は、現在のスロット♯ｎの前後に連続、すなわち現在のスロットを含む過去未来のスロット数に渡るＲＳＣＰの平均化長を算出し、この平均化長を変更することができ、ＳＩＲの平均長を変更した実施の形態１の送信電力制御装置１と同様の作用効果を得ることができる。
【０１１３】
上記実施の形態２によれば、電波伝搬環境に関するパラメータ、つまり、受信したパイロット信号からの測定したパス数を用いた重み付け係数を、所定の演算スロット分の希望波電力のそれぞれに重み付け、つまり乗算して平均化する。そして、この重み付け平均された平均希望波電力と、平均干渉波電力との比から目標ＳＩＲと比較するＳＩＲを算出しているので、所定の演算スロット分の希望波電力の平均を算出する際の平均化する長さを、受信パイロット信号の電波伝搬環境に対応した長さにすることができ、これにより、突発的に発生する干渉に対しても精度良くＳＩＲ測定を行うことができる。
【０１１４】
また、パス数に関する重み付け係数を、予測された将来のスロットを含む所定の演算スロット分の希望波電力にそれぞれ重み付け、つまり乗算して平均化するため、目標ＳＩＲと比較されるＳＩＲの測定精度の向上が図られている。
【０１１５】
上記実施の形態１では、重み付け係数算出部１１５が重み付け係数を算出するための電場伝搬環境に関するパラメータとして、パス数決定部１１３から入力されるパス数を用いたが、これに限らず、ＲＳＣＰの標準偏差、ＳＩＲの標準偏差、ドップラー周波数、長区間平均ＳＩＲ、目標ＳＩＲとしてもよい。
【０１１６】
すなわち、送信電力制御装置２００において、重み付け係数算出部２２２にパラメータを出力するパス数決定部１１３に代えて、変更例１〜５で説明したように、ＲＳＣＰ標準偏差測定部１２０、ＳＩＲ標準偏差測定部１４０，ドップラー周波数測定部１５０，長区間平均ＳＩＲ測定部１６０、目標ＳＩＲ決定部１７０とした構成を採ってもよく、これらの構成の場合の効果は上述した変更例１〜５のものと同様である。
【０１１７】
また、上記実施の形態１、変更例１〜５及び実施の形態２に係る送信電力制御装置を移動体通信システムにおいて使用される基地局装置や、この基地局装置と無線通信を行う通信端末装置に搭載することが可能である。搭載された場合には、基地局装置や通信端末装置がＳＩＲに従って行う送信電力制御の精度を向上させることができる。
【０１１８】
【発明の効果】
以上説明したように、本発明によれば、突発的に発生する干渉に対しても精度良くＳＩＲを測定することができる。
【図面の簡単な説明】
【図１】本発明の実施の形態１に係る送信電力装置の構成を示すブロック図
【図２】図１の重み付け係数算出部が有する、パス数と重み付け係数が関係付けられたテーブルの一例を示す図
【図３】図１の重み付け平均ＳＩＲ算出部の動作を説明するための図
【図４】本発明の実施の形態１の変更例１に係る送信電力制御装置の構成を示すブロック図
【図５】図４の重み付け係数算出部が有するテーブルの一例を示す図
【図６】本発明の実施の形態１の変更例２に係る送信電力制御装置の構成を示すブロック図
【図７】図６の重み付け係数算出部が有するテーブルの一例を示す図
【図８】本発明の実施の形態１の変更例３に係る送信電力制御装置の構成を示すブロック図
【図９】図８の重み付け係数算出部が有するテーブルの一例を示す図
【図１０】本発明の実施の形態１の変更例４に係る送信電力制御装置の構成を示すブロック図
【図１１】図１０の重み付け係数算出部が有するテーブルの一例を示す図
【図１２】本発明の実施の形態１の変更例５に係る送信電力制御装置の構成を示すブロック図
【図１３】図１２の重み付け係数算出部が有するテーブルの一例を示す図
【図１４】本発明の実施の形態２に係る送信電力制御装置の構成を示すブロック図
【図１５】図１４の重み付け平均ＲＳＣＰ算出部の動作を説明するための図
【符号の説明】
１００，１００ａ，１００ｂ，１００ｃ，１００ｄ，１００ｅ，２００  送信電力制御装置
１０１  瞬時ＲＳＣＰ測定部
１０３  瞬時ＩＳＣＰ測定部
１０５  瞬時ＳＩＲ測定部
１０９  ＳＩＲ記憶領域部
１１１  重み付け平均ＳＩＲ算出部
１１３  パス数決定部
１１４，２１４  予測部
１１５，１３０，１４５，１５５，１６５，１７５，２２２  重み付け係数算出部
１１７  ＴＰＣビット算出部
１２０  ＲＳＣＰ標準偏差測定部
１４０  ＳＩＲ標準偏差測定部
１５０  ドップラー周波数測定部
１６０  長区間平均ＳＩＲ測定部
１７０  目標ＳＩＲ決定部
２０５  ＳＩＲ測定部
２０９  ＲＳＣＰ記憶領域部
２１１  重み付け平均ＲＳＣＰ算出部
【図１】
2004320254.tif 000003
【図２】
2004320254.tif 000004
【図３】
2004320254.tif 000005
【図４】
2004320254.tif 000006
【図５】
2004320254.tif 000007
【図６】
2004320254.tif 000008
【図７】
2004320254.tif 000009
【図８】
2004320254.tif 000010
【図９】
2004320254.tif 000011
【図１０】
2004320254.tif 000012
【図１１】
2004320254.tif 000013
【図１２】
2004320254.tif 000014
【図１３】
2004320254.tif 000015
【図１４】
2004320254.tif 000016
【図１５】
2004320254.tif 000017